(57)【要約】【課題】ガバナユニットを大型化することなく、安定した二次側パイロット圧力をガバナに導入できるようにする。【解決手段】二次側パイロット圧力に基づいて整圧作動するガバナ４を、一次側配管と二次側配管との間に接続可能に設けてあるガバナユニットであって、二次側パイロット圧力をガバナに導入可能な圧力導入管２３を、二次側配管内に挿入可能に設けてある。【選択図】        図１
2004295734.tif 000002
【特許請求の範囲】
【請求項１】
二次側パイロット圧力に基づいて整圧作動するガバナを、一次側配管と二次側配管との間に接続可能に設けてあるガバナユニットであって、前記二次側パイロット圧力を前記ガバナに導入可能な圧力導入管を、前記二次側配管内に挿入可能に設けてあるガバナユニット。
【請求項２】
前記ガバナの二次側流路を前記二次側配管に接続可能な二次側接続部に、前記圧力導入管を前記二次側配管内に気密に挿入可能な挿入部を設けてある請求項１記載のガバナユニット。
【請求項３】
バルブの流入側と流出側との各々に放散管を備えたバルブユニットの両放散管に亘って接続可能に設け、
前記二次側配管が前記バルブの流出側に設けてある放散管である請求項１又は２記載のガバナユニット。
【請求項４】
前記圧力導入管が可撓性を備えている請求項１〜３のいずれか１項記載のガバナユニット。
【発明の詳細な説明】
【０００１】
【発明の属する技術分野】
本発明は、二次側パイロット圧力に基づいて整圧作動するガバナを、一次側配管と二次側配管との間に接続可能に設けてあるガバナユニットに関する。
【０００２】
【従来の技術】
上記ガバナユニットは、二次側圧力を精度良く整圧することができるように、ガバナによって開度調整される弁孔からできるだけ離れた位置から、安定した二次側パイロット圧力をガバナに導入する必要があるが、従来のガバナユニットでは、二次側パイロット圧力をガバナに導入するための圧力導入管を、ガバナユニットに設けてある二次側流路内に開口するように配管している（  例えば、特許文献１参照）  。
【０００３】
【特許文献１】
特開２００１−３２５０２８号公報
【０００４】
【発明が解決しようとする課題】
このため、安定した二次側パイロット圧力をガバナに導入できるように、ガバナによって開度調整される弁孔から二次側配管との接続部までの長さが長い二次側流路を設けるほど、ガバナユニットが大型化して、据え付けに大きなスペースを要する欠点がある。
本発明は上記実情に鑑みてなされたものであって、ガバナユニットを大型化することなく、安定した二次側パイロット圧力をガバナに導入できるようにすることを目的とする。
【０００５】
【課題を解決するための手段】
請求項１記載の発明の特徴構成は、二次側パイロット圧力に基づいて整圧作動するガバナを、一次側配管と二次側配管との間に接続可能に設けてあるガバナユニットであって、前記二次側パイロット圧力を前記ガバナに導入可能な圧力導入管を、前記二次側配管内に挿入可能に設けてある点にある。
【０００６】
〔作用及び効果〕
二次側パイロット圧力をガバナに導入可能な圧力導入管を、二次側配管内に挿入可能に設けてあるので、ガバナによって開度調整される弁孔から二次側配管との接続部までの長さが長い二次側流路を特に設けることなく、つまり、ガバナユニットを大型化することなく、二次側配管内に挿入した圧力導入管を通して、安定した二次側パイロット圧力をガバナに導入することができる。
【０００７】
請求項２記載の発明の特徴構成は、前記ガバナの二次側流路を前記二次側配管に接続可能な二次側接続部に、前記圧力導入管を前記二次側配管内に気密に挿入可能な挿入部を設けてある点にある。
【０００８】
〔作用及び効果〕
圧力導入管の挿入用開口部を二次側配管に設けるような作業を行うことなく、ガバナの二次側流路を二次側接続部で二次側配管に接続すれば、圧力導入管を、その二次側接続部に設けてある挿入部から二次側配管内に気密に挿入して、安定した二次側パイロット圧力をガバナに導入することができ、据え付け作業の簡略化を図ることができる。
【０００９】
請求項３記載の発明の特徴構成は、バルブの流入側と流出側との各々に放散管を備えたバルブユニットの両放散管に亘って接続可能に設け、前記二次側配管が前記バルブの流出側に設けてある放散管である点にある。
【００１０】
〔作用及び効果〕
例えば、図４に例示するように、中圧導管ＢとユーザーＤへの供給用の低圧導管Ｅとを既設ガバナＦを介して接続してある都市ガス供給用配管Ｇにおいて、ユーザーＤへのガス供給を維持する活管状態で、中圧導管Ｂの一部を取り替えたり、中圧導管Ｂに分岐管を接続するなどの配管工事を行う必要が生じた場合、ガス圧が高いまま配管工事を行うとガスが漏れ出すおそれがあるために、工事箇所Ｈよりも上流側の中圧導管Ｂに設置してある遮断装置Ｃを利用して、工事箇所Ｈにおけるガス圧をユーザーＤへの供給用の低いガス圧に調圧することが行われている。
つまり、遮断装置Ｃとして、遮断用バルブ２の流入側と流出側との各々に放散管１ａ，１ｂを備えたバルブユニットＣが設けられており、バルブユニットＣの両放散管１ａ，１ｂに亘って、流入側の放散管１ａを一次側配管Ｊ１として、また、流出側の放散管１ｂを二次側配管Ｊ２としてガバナユニットＡを一時的に接続するとともに、既設ガバナＦを迂回するバイパス路４４を設けて、既設ガバナＦの整圧機能を停止しておき、各放散管１ａ，１ｂの放散弁４３を開くと共に、遮断用バルブ２を閉じて、ガバナユニットＡでユーザーＤへの供給用のガス圧に調圧したガスを、バイパス路４４を通して、低圧導管Ｅに流すことにより、ユーザーＤへのガス供給を維持している。
そして、両放散管１ａ，１ｂに亘ってガバナユニットＡを接続するにあたって、放散管１ａ，１ｂどうしの間隔に合わせて接続する必要があるので、ガバナ４から流出側の放散管１ｂとの接続部までの長さが長い二次側流路を備えたガバナユニットＡを接続することができないことがあり、この場合は、安定した二次側パイロット圧力をガバナ４に導入することができないおそれがある。
請求項３記載のガバナユニットは、このような場合、バルブの流入側と流出側との各々に放散管を備えたバルブユニットの両放散管に亘って、バルブの流入側に設けてある放散管を一次側配管として、また、バルブの流出側に設けてある放散管を二次側配管として接続できるので、二次側配管内に挿入した圧力導入管を通して、安定した二次側パイロット圧力をガバナに導入することができる。
尚、図面を参照しながら説明したが、本発明は添付図面の構成に限定されるものではない。
【００１１】
請求項４記載の発明の特徴構成は、前記圧力導入管が可撓性を備えている点にある。
【００１２】
〔作用及び効果〕
圧力導入管が可撓性を備えているので、二次側配管側に屈曲部があっても、圧力導入管を、安定した二次側パイロット圧力をガバナに導入することができる位置まで容易に挿入することができる。
【００１３】
【発明の実施の形態】
以下に本発明の実施の形態を図面に基づいて説明する。
〔第１実施形態〕
図１は、都市ガスの供給圧力を整圧する本発明によるガバナユニットＡを示し、図３に示すように、中圧導管Ｂに設けてある遮断用のバルブユニット（  遮断装置）  Ｃに備えた一対の放散管１ａ，１ｂに亘って、遮断用バルブ２の流入側に設けてある放散管（  以下、流入側放散管という）  １ａを一次側配管Ｊ１として、また、遮断用バルブ２の流出側に設けてある放散管（  以下、流出側放散管という）  １ｂを二次側配管Ｊ２として接続可能に設けてある。
【００１４】
前記ガバナユニットＡは、ガス流路を形成している側面視でＬ字状のボディ３に、二次側パイロット圧力に基づいて整圧作動するガバナ４を設け、ボディ３の一端側に、一次側流路５を流入側放散管１ａに接続可能な一次側配管接続用フランジ６を設けると共に、ボディ３の他端側にカムロック式の継手７を介して接続したＴ字管８に、ガバナ４の二次側流路９を流出側放散管１ｂに接続可能な二次側接続部１０を設けて、流入側放散管１ａと流出側放散管１ｂとの間に接続可能に設けてある。
【００１５】
つまり、ボディ３のガス流路を仕切り壁１１で一次側流路５と二次側流路９とに仕切って、一次側流路５にはフィルターエレメント１２を交換自在に組み込むとともに、仕切り壁１１にバルブシート１３を備えた弁孔１４を形成し、二次側パイロット圧力に基づいて弁孔１４の開度を調整して二次側圧力Ｐが所定圧力になるように整圧作動するガバナ４と、二次側圧力Ｐの異常変動で弁孔１４を閉鎖する緊急遮断弁１５とを、弁孔１４を挟んでボディ径方向に対向するように、ボディ３に設けてある。
【００１６】
前記ガバナ４は、ボディ３の外側に固定してあるガバナケース１６の内側にダイヤフラム１７を設けて二次側圧力室１８を形成するとともに、弁体１９を揺動アーム２０で弁孔１４に対してその上側から遠近方向に移動自在に支持して、ダイヤフラム１７に固定してあるロッド２１と弁体１９とを揺動アーム２０を介して連動連結し、弁体１９が弁孔１４から上方に離れた開弁位置に移動するように付勢する圧縮スプリング２２を設けてある。
【００１７】
そして、二次側パイロット圧力をガバナ４に導入可能な圧力導入管２３を二次側圧力室１８に連通接続して、弁体１９が開弁位置にあって一次側流路５から二次側流路９にガスが流れている状態で、圧力導入管２３を通して二次側パイロット圧力を二次側圧力室１８内に導入し、ダイヤフラム１７に作用する二次側パイロット圧力の変動で弁体１９が弁孔１４に対して遠近方向に移動して、弁孔１４の開度を変化させることにより、二次側圧力Ｐを略一定の所定圧力に整圧できるように構成してある。
【００１８】
前記圧力導入管２３は、二次側圧力室１８に連通接続してある可撓性を備えた耐圧ホース２４と、可撓性を備えたプラスチックチューブ２５とを開閉バルブ２６を介して着脱自在に接続して、プラスチックチューブ２５側を流出側放散管１ｂ内に挿入可能に設け、プラスチックチューブ２５には圧力測定用のコック２７を設けてある。
【００１９】
前記二次側接続部１０は、二次側流路９を流出側放散管１ｂに接続可能な二次側配管接続用フランジ２８と、圧力導入管２３を流出側放散管１ｂ内に気密に挿入可能な挿入部２９とをＴ字管８の両端部に同芯状に設けて、圧力導入管２３を、挿入部２９に挿通することにより、流出側放散管１ｂ内や中圧導管Ｂ内に挿入して、その流出側放散管１ｂ内や中圧導管Ｂ内の安定した二次側圧力Ｐを二次側パイロット圧力としてガバナ４に導入できるようにしてある。
【００２０】
また、Ｔ字管８に設けた二次側配管接続用フランジ２８近くに圧力導入管２３を接続可能な開閉バルブ３０を設けて、二次側流路９のガス流量が少なくて、流出側放散管１ｂとの接続部近くの二次側流路９内の二次側圧力Ｐが安定している場合は、圧力導入管２３の耐圧ホース２４をその開閉バルブ３０に接続して、その流出側放散管１ｂとの接続部近くの二次側流路９内の二次側圧力Ｐを二次側パイロット圧力としてガバナ４に導入できるようにしてある。
【００２１】
前記挿入部２９は、図２に示すように、圧力導入管２３の挿通用孔３１を形成してあるブッシュ３２をＴ字管８の端部内側に装着して、Ｃリング３３で抜け止めするとともに、挿通用孔３１に挿通した圧力導入管２３とブッシュ３２との間をシールする上下二本のＯリング３４と、ブッシュ３２とＴ字管８との間をシールする上下二本のＯリング３５とを設けて構成してある。
【００２２】
また、上下二本のＯリング３５間におけるブッシュ３２とＴ字管８との間の環状の隙間３６と、上下二本のＯリング３４間における圧力導入管２３とブッシュ３２との間の環状の隙間３７とにグリスなどの液状シール材３８を注入可能な注入部３９を設けて、二次側流路９からのガスの漏れ出しを確実に防止できるように構成してある。
【００２３】
前記注入部３９は、ブッシュ３２とＴ字管８との隙間３６に管径方向から連通する二つのＴ字管側貫通孔４０をＴ字管８に形成すると共に、ブッシュ３２とＴ字管８との隙間３６と、圧力導入管２３とブッシュ３２との隙間３７とを管径方向から連通する二つのブッシュ側貫通孔４１をブッシュ３２に形成して、一方のＴ字管側貫通孔４０に接続してあるグリスニップル４２を通して各隙間３６，３７に液状シール材３８を注入し、余剰の液状シール材３８は他方のＴ字管側貫通孔４０を通して排出できるようにしてある。
【００２４】
図３は、中圧導管Ｂに設置してある遮断装置Ｃを利用して、上記ガバナユニットＡを一時的に設置してある状態を示し、このガバナユニットＡは、図４に示すように、中圧導管ＢとユーザーＤへの供給用の低圧導管Ｅとを既設ガバナＦを介して接続してある地中に埋設してあるガス供給用配管Ｇにおいて、ユーザーＤへのガス供給を維持する活管状態で、中圧導管Ｂの一部を取り替えたり、中圧導管Ｂに分岐管を接続するなどの配管工事を行う際に、工事箇所Ｈにおけるガス圧をユーザーＤへの供給用の低いガス圧に調圧するために一時的に設置してある。
【００２５】
つまり、遮断装置Ｃとして、遮断用ボールバルブ２の流入側と流出側との各々に放散管１ａ，１ｂを備えたバルブユニットＣが設けられており、プロテクタ４６内の両放散管１ａ，１ｂに設けてある放散弁（  ボールバルブ）  ４３を閉じた状態で、流入側放散管１ａを一次側配管Ｊ１として、また、流出側放散管１ｂを二次側配管Ｊ２として、ガバナユニットＡを一時的にフランジ接続してから、流出側放散管１ｂの放散弁４３を開いて、図２に示すように、圧力導入管２３を挿入部２９と放散弁４３とに通して中圧導管Ｂ内に入り込ませてある。
【００２６】
そして、既設ガバナＦを迂回するバイパス路４４を設けて、既設ガバナＦの整圧機能を停止しておき、流入側放散管１ａの放散弁４３を開くと共に、遮断用ボールバルブ２を閉じて、ガバナユニットＡでユーザーＤへの供給用のガス圧に調圧したガスを、バイパス路４４を通して、低圧導管Ｅに流すことにより、ユーザーＤへのガス供給を維持できるようにしてある。
【００２７】
図５は、ガバナユニットＡにおける二次側流路９内の圧力を二次側パイロット圧力としてガバナ４に導入する従来のガバナユニットによる整圧動作を示し、ガス需要が増大して二次側配管Ｊ２内の二次側圧力Ｐが低下しても、二次側配管Ｊ２内における流量Ｑがあまり増大せず、二次側配管Ｊ２内の二次側圧力Ｐを精度良く整圧できないことが分かる。
【００２８】
上記に対して、図６は、圧力導入管２３を挿入部２９に通して中圧導管Ｂ内に入り込ませることにより、二次側配管Ｊ２内の圧力を二次側パイロット圧力としてガバナ４に導入する本発明のガバナユニットＡによる整圧動作を示し、二次側配管Ｊ２内の二次側圧力Ｐが低下し始めると、二次側配管Ｊ２内における流量Ｑが急激に増大して、二次側配管Ｊ２内の二次側圧力Ｑを精度良く整圧できることが分かる。
【００２９】
〔第２実施形態〕
図７は、本発明によるガバナユニットＡの別実施形態を示し、ガス流路を仕切り壁１１で一次側流路５と二次側流路９とに仕切ってある側面視でコの字状のボディ３の両端に、一次側流路５を中圧導管（  一次側配管Ｊ１）  Ｂに接続可能な一次側配管接続用フランジ６を設けてある一次側接続部４５と、二次側流路９を低圧導管（  二次側配管Ｊ２）  Ｅに接続可能な二次側配管接続用フランジ２８を設けてある二次側接続部１０とを略直角に連通接続して、一次側接続部４５と二次側接続部１０とを同芯状に設け、中圧導管Ｂと低圧導管Ｅなどの既設導管に同芯状に直接接続できるようにしてある。
その他の構成は第１実施形態と同様である。
【００３０】
〔その他の実施形態〕
１．本発明によるガバナユニットは、高圧導管と中圧導管との接続部や、中圧導管と低圧導管との接続部などに常時設置して使用するものであっても良い。
２．本発明によるガバナユニットは、二次側配管に設けた貫通孔などの挿入部を通して、圧力導入管を二次側配管内に気密に挿入可能に設けてあっても良い。
３．本発明によるガバナユニットは、都市ガス以外の各種ガスの供給配管に接続するものであっても良い。
【図面の簡単な説明】
【図１】ガバナユニットの要部切欠き側面図
【図２】ガバナユニットの要部断面図
【図３】ガバナユニットの設置状態を示す側面図
【図４】ガス供給用配管の平面図
【図５】従来のガバナユニットによる整圧動作を示すグラフ
【図６】本発明のガバナユニットによる整圧動作を示すグラフ
【図７】第２実施形態のガバナユニットを示す側面図
【符号の説明】
１ａ  放散管
１ｂ  放散管
２    バルブ
４    ガバナ
９    二次側流路
１０  二次側接続部
２３  圧力導入管
２９  挿入部
Ｃ    バルブユニット
Ｊ１  一次側配管
Ｊ２  二次側配管
【図１】
2004295734.tif 000003
【図２】
2004295734.tif 000004
【図３】
2004295734.tif 000005
【図４】
2004295734.tif 000006
【図５】
2004295734.tif 000007
【図６】
2004295734.tif 000008
【図７】
2004295734.tif 000009